(57)【要約】  本発明は、端末のセルハンドオーバ過程にワイヤレスローカルエリアネットワークと相互運用の決定を行う方法および装置を開示する。当該方法は、ユーザ装置（ＵＥ）がネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すことと、前記ＷＬＡＮへのオフロードの測定レポートが報告条件を満たす場合、前記ＷＬＡＮへのオフロードの測定レポートの報告を遅延または取り消すこととを含む。【選択図】図５
2016529813.tif 000002
【特許請求の範囲】
【請求項１】
端末のセルハンドオーバ過程にワイヤレスローカルエリアネットワークと相互運用の決定を行う方法であって、
ユーザ装置（ＵＥ）がハンドオーバ条件を満たすのでアクセスネットワーク測定レポートの報告をトリガすることと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すことと、
前記ＷＬＡＮへのオフロードの測定レポートが報告条件を満たす場合、前記ＷＬＡＮへのオフロードの測定レポートの報告を遅延または取り消すこととを含む、前記方法。
【請求項２】
前記ＷＬＡＮ相互運用の決定基準は、具体的にアクセスネットワーク発見サポート機能（ＡＮＤＳＦ）、運用および保守（Ｏ＆Ｍ）バックグラウンド、無線アクセスネットワーク（ＲＡＮ）によって前記ＵＥに構成されることを特徴とする
請求項１に記載の方法。
【請求項３】
前記方法は、前記ＵＥがハンドオーバ条件を満たすのでアクセスネットワーク測定レポートの報告をトリガした後、前記ＵＥがタイマーを起動することをさらに含むことを特徴とする
請求項１に記載の方法。
【請求項４】
前記タイマーの時間がＲＡＮ側で構成され、または、前記ＵＥの内部で確定され、または、ＡＮＤＳＦによって構成され、または、Ｏ＆Ｍバックグラウンドによって構成されることを特徴とする
請求項３に記載の方法。
【請求項５】
前記方法は、前記タイマーが作動しかつタイムアウトする前に、前記ＵＥがハンドオーバ条件を満たすので前記アクセスネットワーク測定レポートの報告をトリガした場合、前記タイマーを再起動することをさらに含むことを特徴とする
請求項３に記載の方法。
【請求項６】
前記方法は、前記タイマーが作動しかつタイムアウトする前に、前記ＵＥがハンドオーバコマンドを受信した場合、前記タイマーを停止してリセットすることをさらに含むことを特徴とする
請求項３に記載の方法。
【請求項７】
前記方法は、前記タイマーが作動する時に、前記ＵＥが、前記ＷＬＡＮ相互運用の決定基準に基づいてＷＬＡＮへのオフロードの条件を満たすことを判定した場合、前記タイマーがタイムアウトするまでＷＬＡＮへのオフロードを遅延することをさらに含むことを特徴とする
請求項３に記載の方法。
【請求項８】
前記方法は、前記タイマーが作動する時に、前記ＵＥが、前記ＷＬＡＮ相互運用の決定基準に基づいて前記ＷＬＡＮへのオフロードの条件を満たすことを判定した場合、ＷＬＡＮへのオフロードを取り消すことをさらに含むことを特徴とする
請求項３に記載の方法。
【請求項９】
前記方法は、前記タイマーが作動する時に、前記ＷＬＡＮへのオフロードの測定レポートが前記報告条件を満たす場合、前記ＵＥが、前記タイマーがタイムアウトするまで前記ＷＬＡＮへのオフロードの測定レポートの報告を遅延することをさらに含むことを特徴とする
請求項３に記載の方法。
【請求項１０】
前記方法は、前記タイマーが作動する時に、前記ＷＬＡＮへのオフロードの測定レポートが前記報告条件を満たす場合、前記ＵＥが、前記ＷＬＡＮへのオフロードの測定レポートの報告を取り消すことをさらに含むことを特徴とする
請求項３に記載の方法。
【請求項１１】
端末のセルハンドオーバ過程にワイヤレスローカルエリアネットワークと相互運用の決定を行う装置であって、前記装置は端末側に位置し、前記装置は、
ユーザ装置（ＵＥ）がハンドオーバ条件を満たすのでアクセスネットワーク測定レポートの報告をトリガし、または、ＷＬＡＮへのオフロードの測定レポートを報告するように構成される報告ユニットと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すように構成されるオフロード処理ユニットと、
前記ＷＬＡＮへのオフロードの測定レポートが報告条件を満たす場合、前記ＷＬＡＮへのオフロードの測定レポートの報告を遅延または取り消すように構成される報告処理ユニットとを含む、前記装置。
【請求項１２】
前記装置は、
前記ＵＥがハンドオーバ条件を満たすのでアクセスネットワーク測定レポートの報告をトリガした後、タイマーを起動するように構成されるタイミング処理ユニットをさらに含むことを特徴とする
請求項１１に記載の装置。
【請求項１３】
前記タイミング処理ユニットは、さらに前記タイマーが作動しかつタイムアウトする前に、前記ＵＥがハンドオーバ条件を満たすので前記アクセスネットワーク測定レポートの報告をトリガーした場合、前記タイマーを再起動するように構成されることを特徴とする
請求項１２に記載の装置。
【請求項１４】
前記タイミング処理ユニットは、さらに前記タイマーが作動しかつタイムアウトする前に、前記ＵＥがハンドオーバコマンドを受信した場合、前記タイマーを停止してリセットするように構成されることを特徴とする
請求項１２に記載の装置。
【請求項１５】
前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、前記タイマーがタイムアウトするまでＷＬＡＮへのオフロードを遅延するように構成されることを特徴とする
請求項１２に記載の装置。
【請求項１６】
前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、ＷＬＡＮへのオフロードを取り消すように構成されることを特徴とする
請求項１２に記載の装置。
【請求項１７】
前記報告処理ユニットは、さらに前記タイマーが作動する時に、前記ＷＬＡＮへのオフロードの測定レポートが前記報告条件を満たす場合、前記タイマーがタイムアウトするまで前記ＷＬＡＮへのオフロードの測定レポートの報告を遅延するように構成されることを特徴とする
請求項１２に記載の装置。
【請求項１８】
前記報告処理ユニットは、さらに前記タイマーが作動する時に、前記ＷＬＡＮへのオフロードの測定レポートが前記報告条件を満たす場合、前記ＷＬＡＮへのオフロードの測定レポートの報告を取り消すように構成されることを特徴とする
請求項１２に記載の装置。
【請求項１９】
端末のセルハンドオーバ過程にワイヤレスローカルエリアネットワークと相互運用の決定を行う方法であって、
ソースセルがユーザ装置（ＵＥ）から報告されたアクセスネットワーク測定レポートを受信して、ハンドオーバ要求メッセージまたは再配置メッセージを送信することと、
ソースセルがＵＥから報告されたＷＬＡＮへのオフロードの測定レポートを受信して、ＷＬＡＮへのオフロードを遅延または取り消すこととを含む、前記方法。
【請求項２０】
前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがないことを確認するまでＷＬＡＮへのオフロードを遅延することを含むことを特徴とする
請求項１９に記載の方法。
【請求項２１】
前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがあることを確認するまでＷＬＡＮへのオフロードを遅延し、ＷＬＡＮへのオフロードを取り消すことを含むことを特徴とする
請求項１９に記載の方法。
【請求項２２】
端末のセルハンドオーバ過程にワイヤレスローカルエリアネットワークと相互運用の決定を行う装置であって、前記装置はネットワーク側に位置し、前記装置は、
ユーザ装置（ＵＥ）から報告されたアクセスネットワーク測定レポート、ＵＥから報告されたＷＬＡＮへのオフロードの測定レポートを受信するように構成される受信ユニットと、
前記アクセスネットワーク測定レポートを受信して、ハンドオーバ要求メッセージまたは再配置メッセージを送信するように構成される送信ユニットと、
前記ＷＬＡＮへのオフロードの測定レポートを受信して、ＷＬＡＮへのオフロードを遅延または取り消すように構成されるオフロード処理ユニットとを含む、前記装置。
【請求項２３】
前記オフロード処理ユニットは、さらに前記ＷＬＡＮへのオフロードの測定レポートを受信して、利用可能なターゲットセルがないことを確認するまでＷＬＡＮへのオフロードを遅延するように構成されることを特徴とする
請求項２２に記載の装置。
【請求項２４】
前記オフロード処理ユニットは、さらに前記ＷＬＡＮへのオフロードの測定レポートを受信して、利用可能なターゲットセルがあることを確認するまでＷＬＡＮへのオフロードを遅延し、ＷＬＡＮへのオフロードを取り消すことを特徴とする
請求項２２に記載の装置。
【発明の詳細な説明】
【技術分野】
【０００１】
本発明は、ハンドオーバ技術に関し、特に端末のセルハンドオーバ過程にワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）と相互運用の決定を行う方法および装置に関する。
【背景技術】
【０００２】
無線通信技術および基準の継続的な発展に伴い、移動パケットサービスは、大幅に発展され、シングルユーザ装置（ＵＥ：Ｕｓｅｒ  Ｅｑｕｉｐｍｅｎｔ）のデータスループット能力が向上している。長期発展型（ＬＴＥ：Ｌｏｎｇ  Ｔｅｒｍ  Ｅｖｏｌｕｔｉｏｎ）システムを例とし、２０Ｍ帯域幅でダウンリンク最大速度１００Ｍｂｐｓのデータ伝送をサポートでき、その後の強化されたＬＴＥ（ＬＴＥ  Ａｄｖａｎｃｅｄ）において、データ伝送速度がさらに向上し、さらには１Ｇｂｐｓに達することができる。
【０００３】
ＵＥのデータサービス量が爆発的に増加するので、従来のネットワークリソースが徐々に無力になり、特に次世代通信技術（例えば３Ｇ、ＬＴＥ）によりネットワークを広く配置することができない場合、これに伴ってユーザ速度とフロー需要を満たすことができず、ユーザ体験が悪くなる。どのようにこの状況を予防および変化させるかは、オペレータが考慮しなければならない問題であり、新しい技術の普及とネットワーク配置を速くする必要がある一方で、従来のネットワークと技術を強化することで、ネットワーク性能を速く向上する目的を達成することを望む。第３世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）によって提供される無線ネットワーク技術以外、現在一般的に応用されるＷＬＡＮ、特にＩＥＥＥ８０２．１１基準に基づくＷＬＡＮは、家庭、企業さらにはインターネットにおいてホットスポットアクセスカバレッジに広く応用されることがよく知られている。その中、ＷＩＦＩ同盟（Ｗｉ−Ｆｉ  Ａｌｌｉａｎｃｅ）によって提供される技術仕様が最も広く応用されるので、実際においてＷＩＦＩネットワークは、常にＩＥＥＥ８０２．１１基準に基づくＷＬＡＮネットワークと同一視され、混淆を引き起こさない場合で、下記にＷＩＦＩモジュールを使用してネットワークノードにおけるＷＬＡＮをサポートする無線送受信および処理モジュールを説明する。
【０００４】
この前提で、いくつかのオペレータと会社は、すでにＷＬＡＮと従来の３ＧＰＰアクセスネットワークを融合し、共同伝送を実現し、ＷＬＡＮネットワークを使用して従来の３ＧＰＰアクセスネットワークに対する負荷分散（Ｏｆｆ負荷）およびネットワーク性能の向上の目的を達成することを提案した。現在、３ＧＰＰにおいて３ＧＰＰアクセスネットワークとＷＬＡＮネットワークインターワーキング（Ｉｎｔｅｒｗｏｒｋｉｎｇ）の関連プロトコルが制定され、図１に示すように、現在、３ＧＰＰのＩｎｔｅｒｗｏｒｋｉｎｇ  ＷＬＡＮアーキテクチャは、ＷＬＡＮネットワークが３ＧＰＰアクセスネットワークにおける認証認可アカウンティング（ＡＡＡ：Ａｕｔｈｅｎｔｉｃａｔｉｏｎ  Ａｕｔｈｏｒｉｚａｔｉｏｎ  Ａｃｃｏｕｎｔｉｎｇ）サーバを使用して認証認可を統一的に行うとともに、従来の３ＧＰＰアクセスネットワークにおけるパケットデータネットワークゲートウェイをＷＬＡＮネットワークのパケットデータゲートウェイとして再利用でき、同時に２つのネットワークの統一的なアカウンティング課金などを実現し、２つのネットワークの疎結合を達成することができることを、許可する。
【０００５】
しかし、現在のｉｎｔｅｒｗｏｒｋｉｎｇアーキテクチャにいくつかの欠点があり、例えば現在のｉｎｔｅｒｗｏｒｋｉｎｇは、ＵＥによってトリガされ、３ＧＰＰネットワーク側がターゲットアクセスネットワークに対して制御権を持たず、コアネットワーク側のネットワークエレメントのアクセスネットワーク発見サポート機能（ＡＮＤＳＦ：Ａｃｃｅｓｓ  Ｎｅｔｗｏｒｋ  Ｄｉｓｃｏｖｅｒｙ  Ｓｕｐｐｏｒｔ  Ｆｕｎｃｔｉｏｎ）によりいくつかのポリシールールを与えるが、これらのルールが比較的静的であり、３ＧＰＰネットワーク側は、ＵＥがアクセスネットワークを選択することに対して制御権を失うので、ＵＥより選択されたアクセスネットワークがＵＥのＱｏＳ需要を満たすことができず、またはＵＥが３ＧＰＰアクセスネットワークとＷＬＡＮアクセスネットワークの間に頻繁にハンドオーバすることを引き起こし、ユーザ体験に影響を与え、同時に必要以上のネットワーク負担を増加する。
【０００６】
したがって、現在、３ＧＰＰアクセスネットワークがＵＥのネットワーク選択に参与し、ＵＥが３ＧＰＰアクセスネットワークとＷＬＡＮの間にハンドオーバするまたはオフロードすることを一定の程度または完全に制御する必要がある。
【０００７】
従来技術には、端末のセルハンドオーバ過程のシーンにおいて、ＷＬＡＮが端末のハンドオーバ範囲に位置し、図２に示すように、２つの３ＧＰＰセルＣｅｌｌ１とＣｅｌｌ２のカバー範囲が互いに重なり、この部分がハンドオーバ領域と呼ばれ、同時にこの部分の範囲内に１つのオペレータにより構成されたＷＬＡＮネットワークがＷＬＡＮ１と呼ばれる場合、ハンドオーバする過程におけるＷＬＡＮへのオフロードが容易に発生するという問題が存在する。しかし、この場合のオフロードが安定ではないかも知れず、例えばＵＥが現在Ｃｅｌｌ１からＣｅｌｌ２にハンドオーバしているとともに、ＵＥは、Ｃｅｌｌ１によって提供された閾値またはストリームに基づいて、一部または全部のサービスをＷＬＡＮネットワークにオフロードするが、Ｃｅｌｌ２が前記３ＧＰＰアクセスネットワークとＷＬＡＮの間のハンドオーバまたはオフロード機能をサポートしないかも知れず、または、Ｃｅｌｌ２がサポートするが、Ｃｅｌｌ１の閾値またはストリームと異なり、この場合、ＵＥが継続的にＣｅｌｌ１によって提供された閾値またはストリームに従ってオフロード準備を行うと、Ｃｅｌｌ２に成功裏にハンドオーバされた場合、ＵＥによって行われたオフロード準備が作用を失うかも知れず、このようにしてＵＥのエネルギーの他、リソースを浪費する。
【発明の概要】
【発明が解決しようとする課題】
【０００８】
これを鑑みて、本発明の実施形態は、端末のセルハンドオーバ過程において３ＧＰＰアクセスネットワークとＷＬＡＮネットワークの間にオフロードによって引き起こされる可能性があるリソースおよびエネルギーの浪費を解決するように、端末のセルハンドオーバ過程にＷＬＡＮと相互運用の決定を行う方法および装置を提供することを望む。
【課題を解決するための手段】
【０００９】
本発明の実施形態の技術的解決手段は、以下のように実現される。
【００１０】
端末のセルハンドオーバ過程にワイヤレスローカルエリアネットワークと相互運用の決定を行う方法は、
ユーザ装置（ＵＥ）が、ハンドオーバ条件を満たすのでアクセスネットワーク測定レポートの報告をトリガすることと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すことと、
前記ＷＬＡＮへのオフロードの測定レポートが報告条件を満たす場合、前記ＷＬＡＮへのオフロードの測定レポートの報告を遅延または取り消すこととを含む。
【００１１】
ここで、前記ＷＬＡＮ相互運用の決定基準は、具体的にアクセスネットワーク発見サポート機能（ＡＮＤＳＦ）、運用および保守（Ｏ＆Ｍ）バックグラウンド、無線アクセスネットワーク（ＲＡＮ）によって前記ＵＥに構成される。
【００１２】
ここで、前記方法は、前記ＵＥがハンドオーバ条件を満たすのでアクセスネットワーク測定レポートの報告をトリガした後、タイマーを起動することをさらに含む。
【００１３】
ここで、前記タイマーの時間がＲＡＮ側で構成され、または、前記ＵＥの内部で確定され、または、ＡＮＤＳＦによって構成され、または、Ｏ＆Ｍバックグラウンドによって構成される。
【００１４】
ここで、前記方法は、前記タイマーが作動しかつタイムアウトする前に、前記ＵＥがハンドオーバ条件を満たすので前記アクセスネットワーク測定レポートの報告をトリガした場合、前記タイマーを再起動することをさらに含む。
【００１５】
ここで、前記方法は、前記タイマーが作動しかつタイムアウトする前に、前記ＵＥがハンドオーバコマンドを受信した場合、前記タイマーを停止してリセットすることをさらに含む。
【００１６】
ここで、前記方法は、前記タイマーが作動する時に、前記ＵＥが、前記ＷＬＡＮ相互運用の決定基準に基づいてＷＬＡＮへのオフロードの条件を満たすことを判定した場合、前記タイマーがタイムアウトするまでＷＬＡＮへのオフロードを遅延することをさらに含む。
【００１７】
ここで、前記方法は、前記タイマーが作動する時に、前記ＵＥが、前記ＷＬＡＮ相互運用の決定基準に基づいて前記ＷＬＡＮへのオフロードの条件を満たすことを判定した場合、ＷＬＡＮへのオフロードを取り消すことをさらに含む。
【００１８】
ここで、前記方法は、前記タイマーが作動する時に、前記ＷＬＡＮへのオフロードの測定レポートが前記報告条件を満たす場合、前記ＵＥが、前記タイマーがタイムアウトするまで前記ＷＬＡＮへのオフロードの測定レポートの報告を遅延することをさらに含む。
【００１９】
ここで、前記方法は、前記タイマーが作動する時に、前記ＷＬＡＮへのオフロードの測定レポートが前記報告条件を満たす場合、前記ＵＥが、前記ＷＬＡＮへのオフロードの測定レポートの報告を取り消すことをさらに含む。
【００２０】
端末のセルハンドオーバ過程にワイヤレスローカルエリアネットワークと相互運用の決定を行う装置は、端末側に位置し、前記装置は、
ユーザ装置（ＵＥ）がハンドオーバ条件を満たすのでアクセスネットワーク測定レポートの報告をトリガし、または、ＷＬＡＮへのオフロードの測定レポートを報告するように構成される報告ユニットと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すように構成されるオフロード処理ユニットと、
前記ＷＬＡＮへのオフロードの測定レポートが報告条件を満たす場合、前記ＷＬＡＮへのオフロードの測定レポートの報告を遅延または取り消すように構成される報告処理ユニットとを含む。
【００２１】
ここで、前記装置は、
前記ＵＥがハンドオーバ条件を満たすのでアクセスネットワーク測定レポートの報告をトリガした後、タイマーを起動するように構成されるタイミング処理ユニットをさらに含む。
【００２２】
ここで、前記タイミング処理ユニットは、さらに前記タイマーが作動しかつタイムアウトする前に、前記ＵＥがハンドオーバ条件を満たすので前記アクセスネットワーク測定レポートの報告をトリガした場合、前記タイマーを再起動するように構成される。
【００２３】
ここで、前記タイミング処理ユニットは、さらに前記タイマーが作動しかつタイムアウトする前に、前記ＵＥがハンドオーバコマンドを受信した場合、前記タイマーを停止してリセットするように構成される。
【００２４】
ここで、前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、前記タイマーがタイムアウトするまでＷＬＡＮへのオフロードを遅延するように構成される。
【００２５】
ここで、前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、ＷＬＡＮへのオフロードを取り消すように構成される。
【００２６】
ここで、前記報告処理ユニットは、さらに前記タイマーが作動する時に、前記ＷＬＡＮへのオフロードの測定レポートが前記報告条件を満たす場合、前記タイマーがタイムアウトするまで前記ＷＬＡＮへのオフロードの測定レポートの報告を遅延するように構成される。
【００２７】
ここで、前記報告処理ユニットは、前記タイマーが作動する時に、前記ＷＬＡＮへのオフロードの測定レポートが前記報告条件を満たす場合、前記ＷＬＡＮへのオフロードの測定レポートの報告を取り消すように構成される。
【００２８】
前記報告ユニット、前記オフロード処理ユニット、前記報告処理ユニット、前記タイミング処理ユニットは、処理を実行する場合、中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｎｇｎａｌ  Ｐｒｏｃｅｓｓｏｒ）またはプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されることができる。
【００２９】
端末のセルハンドオーバ過程にワイヤレスローカルエリアネットワークと相互運用の決定を行う方法は、
ソースセルがユーザ装置（ＵＥ）から報告されたアクセスネットワーク測定レポートを受信して、ハンドオーバ要求メッセージまたは再配置メッセージを送信することと、
ソースセルがＵＥから報告されたＷＬＡＮへのオフロードの測定レポートを受信して、ＷＬＡＮへのオフロードを遅延または取り消すこととを含む。
【００３０】
ここで、前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがないことを確認するまでＷＬＡＮへのオフロードを遅延することを含む。
【００３１】
ここで、前記ソースセルがＵＥから報告されたＷＬＡＮへのオフロードの測定レポートを受信して、ＷＬＡＮへのオフロードを遅延または取り消すことは、
具体的に、ソースセルがＵＥから送信されたＷＬＡＮへのオフロードの測定レポートを受信した場合、利用可能なターゲットセルがあることを確認するまでＷＬＡＮへのオフロードを遅延し、ＷＬＡＮへのオフロードを取り消すことを含む。
【００３２】
端末のセルハンドオーバ過程にワイヤレスローカルエリアネットワークと相互運用の決定を行う装置は、ネットワーク側に位置し、前記装置は、
ユーザ装置（ＵＥ）から報告されたアクセスネットワーク測定レポート、ＵＥから報告されたＷＬＡＮへのオフロードの測定レポートを受信するように構成される受信ユニットと、
前記アクセスネットワーク測定レポートを受信して、ハンドオーバ要求メッセージまたは再配置メッセージを送信するように構成される送信ユニットと、
前記ＷＬＡＮへのオフロードの測定レポートを受信して、ＷＬＡＮへのオフロードを遅延または取り消すように構成されるオフロード処理ユニットとを含む。
【００３３】
ここで、前記オフロード処理ユニットは、さらに前記ＷＬＡＮへのオフロードの測定レポートを受信して、利用可能なターゲットセルがないことを確認するまでＷＬＡＮへのオフロードを遅延するように構成される。
【００３４】
ここで、前記オフロード処理ユニットは、さらに前記ＷＬＡＮへのオフロードの測定レポートを受信して、利用可能なターゲットセルがあることを確認するまでＷＬＡＮへのオフロードを取り消すように構成される。
【００３５】
前記受信ユニット、前記送信ユニット、前記オフロード処理ユニットは、処理を実行する場合、中央処理プロセッサ（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｎｇｎａｌ  Ｐｒｏｃｅｓｓｏｒ）またはプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されることができる。
【００３６】
本発明の実施形態によれば、ユーザ装置（ＵＥ）がハンドオーバ条件を満たすのでアクセスネットワーク測定レポートの報告をトリガし、前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消し、前記ＷＬＡＮへのオフロードの測定レポートが報告条件を満たす場合、前記ＷＬＡＮへのオフロードの測定レポートの報告を遅延または取り消す。本発明の実施形態により、ＵＥがネットワーク側によって構成されたワイヤレスローカルエリアネットワーク（ＷＬＡＮ）相互運用の決定基準に基づいてＷＬＡＮへのオフロードを行うかどうかを判定して、ＷＬＡＮへのオフロードを遅延または取り消すことができるので、端末のセルハンドオーバ過程に３ＧＰＰアクセスネットワークとＷＬＡＮネットワークの間にオフロードによって引き起こす可能性があるリソースおよびエネルギーの浪費を少なくとも解決する。
【図面の簡単な説明】
【００３７】
【図１】従来のネットワークインタワーキングプロトコルアーキテクチャを示す図である。
【図２】従来のハンドオーバする過程に３ＧＰＰアクセスネットワークとＷＬＡＮネットワークの間にオフロードするシーンを示す図である。
【図３】本発明の第一の実施形態の端末状態遷移図である。
【図４】本発明の第二の実施形態の端末状態遷移図である。
【図５】本発明の第三の実施形態の実現プロセスを示す図である。
【発明を実施するための形態】
【００３８】
以下、図面を参照して技術的解決手段をさらに詳しく説明する。
【００３９】
端末側の決定については、端末のセルハンドオーバ過程にＷＬＡＮと相互運用の決定を行う方法は、
ＵＥがハンドオーバ条件を満たすのでアクセスネットワークの測定レポートの報告をトリガすることと、
前記ＵＥがネットワーク側によって構成されたＷＬＡＮ相互運用の決定基準に基づいてＷＬＡＮへのオフロードの条件を満たすことを判定した場合、ＷＬＡＮへのオフロードを遅延または取り消すこととを含む。
【００４０】
前記ネットワーク側によって構成されたＷＬＡＮ相互運用の決定基準は、
ＷＬＡＮ信号がＷＬＡＮの信号閾値より高いおよび／またはＷＬＡＮの負荷がＷＬＡＮの負荷閾値より低い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高い場合、ＷＬＡＮのサービスまたはベアラをＲＡＮにオフロードすることができること、または、
ＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができること、または、
ＷＬＡＮ信号がＷＬＡＮの信号閾値より高いおよび／またはＷＬＡＮの負荷がＷＬＡＮの負荷閾値より低く、かつＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高く、かつＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができることを含むことができる。
【００４１】
前記異なるＲＡＮ閾値とＷＬＡＮ閾値は、ネットワーク側によって構成される。
【００４２】
ＷＬＡＮへのオフロードの測定レポートが報告条件を満たす場合、前記ＷＬＡＮへのオフロードの測定レポートの報告を遅延または取り消す。
【００４３】
ＷＬＡＮへのオフロードの測定レポートの報告条件は、具体的に、
ＷＬＡＮの信号品質または信号強度がある閾値より高いおよび／またはＷＬＡＮの負荷がある閾値より低い場合、ＷＬＡＮへのオフロードの測定レポートの報告をトリガすること、または、
ＲＡＮの信号品質または信号強度がある閾値より低いおよび／またはＲＡＮの負荷がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、かつＷＬＡＮの信号品質または信号強度がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、ＷＬＡＮの信号品質または信号強度がある閾値より高く、かつＷＬＡＮの負荷がある閾値より低い場合、ＷＬＡＮへのオフロードの測定レポートの報告をトリガすることを含むことができる。
【００４４】
好ましくは、前記ＷＬＡＮ相互運用の決定基準は、具体的にアクセスネットワーク発見サポート機能（ＡＮＤＳＦ）、運用および保守（Ｏ＆Ｍ）バックグラウンド、無線アクセス（ＲＡＮ）によって前記ＵＥに構成される。
【００４５】
好ましくは、前記方法は、前記ＵＥが、ハンドオーバ条件を満たすのでアクセスネットワーク測定レポートの報告をトリガした後、タイマーを起動することをさらに含む。
【００４６】
好ましくは、前記タイマーの時間がＲＡＮ側で構成され、または前記ＵＥの内部で確定され、またはＡＮＤＳＦによって構成され、またはＯ＆Ｍバックグラウンドによって構成される。
【００４７】
好ましくは、前記方法は、前記タイマーが作動しかつタイムアウトする前に、前記ＵＥがハンドオーバ条件を満たすので前記アクセスネットワークの測定レポートの報告をトリガした場合、前記タイマーを再起動することをさらに含む。
【００４８】
好ましくは、前記方法は、前記タイマーが作動しかつタイムアウトする前に、前記ＵＥがハンドオーバコマンドを受信した場合、前記タイマーを停止してリセットすることをさらに含む。
【００４９】
好ましくは、前記方法は、前記タイマーが作動する時に、前記ＵＥが、前記ＷＬＡＮ相互運用の決定基準に基づいてＷＬＡＮへのオフロードの条件を満たすことを判定した場合、前記タイマーがタイムアウトするまでＷＬＡＮへのオフロードを遅延することをさらに含む。
【００５０】
好ましくは、前記方法は、前記タイマーが作動する時に、前記ＵＥが、前記ＷＬＡＮ相互運用の決定基準に基づいて前記ＷＬＡＮへのオフロードの条件を満たすことを判定した場合、ＷＬＡＮへのオフロードを取り消すことをさらに含む。
【００５１】
好ましくは、前記方法は、前記タイマーが作動する時に、前記ＷＬＡＮへのオフロードの測定レポートが前記報告条件を満たす場合、前記ＵＥが、前記タイマーがタイムアウトするまで前記ＷＬＡＮへのオフロードの測定レポートの報告を遅延することをさらに含む。
【００５２】
好ましくは、前記方法は、前記タイマーが作動する時に、前記ＷＬＡＮへのオフロードの測定レポートが前記報告条件を満たす場合、前記ＵＥが、前記ＷＬＡＮへのオフロードの測定レポートの報告を取り消すことをさらに含む。
【００５３】
端末側の決定については、端末のセルハンドオーバ過程にＷＬＡＮと相互運用の決定を行う装置は、端末側に位置し、
ユーザ装置（ＵＥ）がハンドオーバ条件を満たすのでアクセスネットワーク測定レポートの報告をトリガし、またはＷＬＡＮへのオフロードの測定レポートを報告するように構成される報告ユニットと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すように構成されるオフロード処理ユニットと、
前記ＷＬＡＮへのオフロードの測定レポートが報告条件を満たす場合、前記ＷＬＡＮへのオフロードの測定レポートの報告を遅延または取り消すように構成される報告処理ユニットとを含む。
【００５４】
好ましくは、前記装置は、
前記ＵＥがハンドオーバ条件を満たすのでアクセスネットワーク測定レポートの報告をトリガした後、タイマーを起動するように構成されるタイミング処理ユニットをさらに含む。
【００５５】
好ましくは、前記タイミング処理ユニットは、前記タイマーが作動しかつタイムアウトする前に、前記ＵＥがハンドオーバ条件を満たすので前記アクセスネットワーク測定レポートの報告をトリガした場合、前記タイマーを再起動するように構成される。
【００５６】
好ましくは、前記タイミング処理ユニットは、前記タイマーが作動しかつタイムアウトする前に、前記ＵＥがハンドオーバコマンドを受信した場合、前記タイマーを停止してリセットするように構成される。
【００５７】
好ましくは、前記オフロード処理ユニットは、前記タイマーが作動する時に、前記ＵＥが前記ＷＬＡＮ相互運用の決定基準に基づいてＷＬＡＮへのオフロードの条件を満たすことを判定した場合、前記タイマーがタイムアウトするまでＷＬＡＮへのオフロードを遅延するように構成される。
【００５８】
好ましくは、前記オフロード処理ユニットは、さらに前記タイマーが作動する時に、前記ＵＥが前記ＷＬＡＮ相互運用の決定基準に基づいて前記ＷＬＡＮへのオフロードの条件を満たすことを判定した場合、ＷＬＡＮへのオフロードを取り消すように構成される。
【００５９】
好ましくは、前記報告処理ユニットは、前記タイマーが作動する時に、前記ＷＬＡＮへのオフロードの測定レポートが前記報告条件を満たす場合、前記タイマーがタイムアウトするまで前記ＷＬＡＮへのオフロードの測定レポートの報告を遅延するように構成される。
【００６０】
好ましくは、前記報告処理ユニットは、さらに前記タイマーが作動する時に、前記ＷＬＡＮへのオフロードの測定レポートが前記報告条件を満たす場合、前記ＷＬＡＮへのオフロードの測定レポートの報告を取り消すように構成される。
【００６１】
ユーザ端末、特に移動端末例えば携帯電話などは、前記端末側の装置を含み、前記装置における各ユニットが独立できる、または携帯電話に合併して設置されたプロセッサ、コントローラ、マイクロプロセッサまたはマイクロコントローラなどの処理機能を備えるハードウェアエンティティを含むがこれらに限られない。
【００６２】
ネットワーク側の決定については、端末のセルハンドオーバ過程にＷＬＡＮと相互運用の決定を行う方法は、
ソースセルがユーザ装置（ＵＥ）から報告されたアクセスネットワーク測定レポートを受信して、ハンドオーバ要求メッセージまたは再配置メッセージを送信することと、
ソースセルがＵＥから報告されたＷＬＡＮへのオフロードの測定レポートを受信して、ＷＬＡＮへのオフロードを遅延または取り消すこととを含む。
【００６３】
好ましくは、前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがないことを確認するまでＷＬＡＮへのオフロードを遅延することを含む。
【００６４】
好ましくは、前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがあることを確認するまでＷＬＡＮへのオフロードを遅延し、ＷＬＡＮへのオフロードを取り消すことを含む。
【００６５】
ネットワーク側の決定については、端末のセルハンドオーバ過程にＷＬＡＮと相互運用の決定を行う装置は、ネットワーク側に位置し、
ユーザ装置（ＵＥ）から報告されたアクセスネットワーク測定レポートを受信し、ＵＥから報告されたＷＬＡＮへのオフロードの測定レポートを受信するように構成される受信ユニットと、
前記アクセスネットワーク測定レポートを受信して、ハンドオーバ要求メッセージまたは再配置メッセージを送信するように送信ユニットと、
前記ＷＬＡＮへのオフロードの測定レポートを受信して、ＷＬＡＮへのオフロードを遅延または取り消すように構成されるオフロード処理ユニットとを含む。
【００６６】
好ましくは、前記オフロード処理ユニットは、前記ＷＬＡＮへのオフロードの測定レポートを受信して、利用可能なターゲットセルがないことを確認するまでＷＬＡＮへのオフロードを遅延するように構成される。
【００６７】
好ましくは、前記オフロード処理ユニットは、前記ＷＬＡＮへのオフロードの測定レポートを受信して、利用可能なターゲットセルがあることを確認するまでＷＬＡＮへのオフロードを遅延し、ＷＬＡＮへのオフロードを取り消すように構成される。
【００６８】
基地局または無線ネットワークコントローラ（ＲＮＣ）は、前記ネットワーク側の装置を含み、前記装置における各ユニットが独立できる、または基地局またはＲＮＣに合併して設置されたプロセッサ、コントローラ、マイクロプロセッサまたはマイクロコントローラなどの処理機能を備えるハードウェアエンティティを含むがこれらに限られない。
【００６９】
以下に本発明の実施形態を例を挙げて説明する。
【００７０】
当該方法は、ＵＥがハンドオーバ条件を満たすので３ＧＰＰアクセスネットワークの測定レポートをトリガすること、またはソースセルがハンドオーバ要求メッセージまたは再配置メッセージを送信することと、
ＵＥがＷＬＡＮ相互運用の決定基準に基づいてＷＬＡＮへのオフロードの条件を満たすことを判定した、またはソースセルがＷＬＡＮへのオフロードの測定レポートを受信した場合、ＷＬＡＮへのオフロードを遅延または取り消すことと、
または、ＷＬＡＮへのオフロードの測定レポートが報告条件を満たす場合、前記測定レポートの送信を遅延または取り消すこととを含む。
【００７１】
前記ＷＬＡＮ相互運用の決定基準は、ＡＮＤＳＦ、Ｏ＆Ｍバックグラウンド、ＲＡＮによってＵＥに構成されることができる。
【００７２】
具体的には、ＵＥは、ハンドオーバ条件を満たすので３ＧＰＰアクセスネットワークの測定レポートをトリガし、一つのタイマーを起動する。
【００７３】
前記タイマーの時間は、ＲＡＮ側で構成され、またはＵＥの内部で確定され、またはＡＮＤＳＦによって構成され、またはＯ＆Ｍバックグラウンドによって構成される。
【００７４】
具体的には、前記タイマーが作動しかつタイムアウトする前に、ＵＥは、ハンドオーバ条件を満たすので３ＧＰＰアクセスネットワークの測定レポートをトリガした場合、前記タイマーを再起動する。
【００７５】
具体的には、前記タイマーが作動しかつタイムアウトする前に、ＵＥは、ハンドオーバコマンドを受信した場合、前記タイマーを停止してリセットする。
【００７６】
具体的には、前記タイマーが作動する時に、ＵＥは、ＷＬＡＮ相互運用の決定基準に基づいてＷＬＡＮへのオフロードの条件を満たすことを判定した場合、前記タイマーがタイムアウトするまでＷＬＡＮへのオフロードを遅延する。
【００７７】
具体的には、前記タイマーが作動する時に、ＷＬＡＮへのオフロードの測定レポートが報告条件を満たす場合、ＵＥは、前記タイマーがタイムアウトするまで前記測定レポートの送信を遅延する。
【００７８】
好ましくは、ソースセルは、すでにハンドオーバ要求メッセージまたは再配置メッセージを送信し、ＵＥから送信されたＷＬＡＮへのオフロードの測定レポートを受信した場合、利用可能なターゲットセルがないことを確認するまでＷＬＡＮへのオフロードを遅延する。
【００７９】
好ましくは、ソースセルは、すでにハンドオーバ要求メッセージまたは再配置メッセージを送信し、ＵＥから送信されたＷＬＡＮへのオフロードの測定レポートを受信した場合、利用可能なセルがあることを確認するまでＷＬＡＮへのオフロードを遅延し、ＷＬＡＮへのオフロードを取り消す。
【００８０】
第一の実施形態：
図３に示すように、本発明の第一の実施形態の端末状態遷移図であって、その中の３０１−３０４がそれぞれＵＥの４つの状態であり、矢印の上の文字が状態遷移条件である。
【００８１】
初期に端末は、開始状態にあり、この場合、端末は、３ＧＰＰアクセスネットワークおよびＷＬＡＮネットワークの状態を監視する。ソース側への３ＧＰＰアクセスネットワーク測定レポートの送信を満たす場合、状態３０１に遷移し、すなわちＵＥは、タイマーを起動または再起動する。
【００８２】
ここで、ＬＴＥシステムにおいて、ＲＲＣ層の測定レポートは、イベントトリガ測定レポート（ｅｖｅｎｔ  ｔｒｉｇｇｅｒｅｄ  ｒｅｐｏｒｔｉｎｇ）、イベントトリガ周期的測定レポート（ｅｖｅｎｔ  ｔｒｉｇｇｅｒｅｄ  ｐｅｒｉｏｄｉｃ  ｒｅｐｏｒｔｉｎｇ）および周期的測定レポート（ｐｅｒｉｏｄｉｃ  ｒｅｐｏｒｔｉｎｇ）の合計の３つのタイプがある。８つの測定レポートのトリガイベントがあり、その中のＡ２、Ａ３、Ａ４、Ａ５、Ｂ１およびＢ２イベントは、ＲＡＮがＵＥを他のセルにハンドオーバすることを引き起こす可能性が大きい。ＵＭＴＳシステムにおいて、ＲＲＣ層の測定レポートは、トリガモードから分けられるとＬＴＥシステムにおけるイベントトリガ測定レポート、イベントトリガ周期性測定レポートおよび周期性測定レポートと類似する３つの測定レポートもある。しかし、ＵＭＴＳシステムにおける測定レポートのトリガイベントの種類が多く、その中、シリーズ１、シリーズ２およびシリーズ３のイベントは、端末がハンドオーバすることを引き起こす可能性が大きい。
【００８３】
ＵＥが前記測定イベントによってトリガされたイベントトリガ測定レポートまたはイベントトリガ周期性測定レポートをソース側へ送信する場合、ＵＥは、タイマーを起動する。前記タイマーの時間は、ＲＡＮ側で構成されるまたはＵＥの内部で確定されるまたはＯ＆Ｍバックグラウンドによって構成される。
【００８４】
ネットワーク側は、通常、ＵＥに複数の測定レポートのトリガイベントを構成し、同一のトリガイベントに複数の測定レポートが構成される可能性もある。そして、イベントトリガ周期的測定レポートも複数回の測定レポートの報告をトリガし、ＵＥがすでにタイマーを起動し、かつタイマーが作動している時に、前記測定レポートイベントによってトリガされたイベントトリガ測定レポートまたはイベントトリガ周期的測定レポートを再度トリガした場合、ＵＥは、タイマーを再起動し、状態３０１が自動的に遷移する。
【００８５】
状態３０１にある時にタイマーがタイムアウトした場合、状態３０１から開始状態に遷移する。
【００８６】
状態３０１にあり、ＵＥがＷＬＡＮ相互運用の決定基準に基づいてＷＬＡＮへのオフロードの条件を満たすことを判定しかつこの時にタイマーが作動している場合、状態３０１から状態３０２に遷移し、ＵＥは、ＷＬＡＮへのオフロードを遅延する。状態３０２にあり、この時にオフロード条件を再度満たしかつタイマーが作動している場合、状態３０２が自動的に遷移し、ＷＬＡＮへのオフロードを再度遅延する。
【００８７】
ここで、前記ＷＬＡＮ相互運用の決定基準は、ＡＮＤＳＦ、Ｏ＆Ｍバックグラウンド、ＲＡＮによってＵＥに構成されることができる。
【００８８】
前記ＷＬＡＮ相互運用の決定基準は、
ＷＬＡＮ信号がＷＬＡＮの信号閾値より高いおよび／またはＷＬＡＮの負荷がＷＬＡＮの負荷閾値より低い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高い場合、ＷＬＡＮのサービスまたはベアラをＲＡＮにオフロードすることができること、または、
ＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができること、または、
ＷＬＡＮ信号がＷＬＡＮの信号閾値より高いおよび／またはＷＬＡＮの負荷がＷＬＡＮの負荷閾値より低く、かつＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高く、かつＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができることを含むことができる。
【００８９】
前記異なるＲＡＮ閾値とＷＬＡＮ閾値は、ネットワーク側によって構成される。
【００９０】
状態３０２にあり、タイマーがタイムアウトした場合、状態３０３に遷移し、ＵＥは、ＷＬＡＮへのオフロードを実行し、端末は、ＷＬＡＮへのオフロードすべきサービスまたはＩＰフローまたはＰＤＮ接続を決定し、コアネットワークに通知し、ベアラを変更または削除し、そしてＷＬＡＮと関連付け、ＷＬＡＮネットワークを介してＥＰＣと接続を確立し、対応するサービスまたはＩＰフローまたはＰＤＮ接続のデータ伝送を行う。終了した後に自動的に開始状態に遷移し、ＵＥは、再度３ＧＰＰアクセスネットワークおよびＷＬＡＮネットワークを監視する状態に入る。
【００９１】
開始状態にあり、タイマーが作動しないと、ＵＥがＷＬＡＮ相互運用の決定基準に基づいてＷＬＡＮへのオフロードの条件を満たすことを判定した場合、状態３０３に遷移し、すなわちＵＥは、ＷＬＡＮへのオフロードを実行する。
【００９２】
状態３０１または状態３０２にあり、この場合にタイマーが作動する時に、アクセスネットワークから送信されたハンドオーバコマンドを受信した場合、状態３０４に遷移し、ＵＥは、タイマーを停止してリセットし、ＷＬＡＮへのオフロードを取り消し、ハンドオーバを実行する。終了した後に自動的に開始状態に遷移し、ＵＥは、再度３ＧＰＰアクセスネットワークおよびＷＬＡＮネットワークを監視する状態に入る。
【００９３】
ここで、本実施形態の端末状態遷移図は、いくつかの状態遷移条件と状態を変更すると、ＵＥが前記ＷＬＡＮへのオフロードの測定レポートの報告を遅延する操作に適用することができると注意すべきである。開始状態から状態３０３へ遷移する状態遷移条件は、ＷＬＡＮへのオフロードの測定レポートが報告条件を満たすように変更され、状態３０３は、ＵＥがＷＬＡＮへのオフロードの測定レポートの報告を実行するように変更され、状態３０１から状態３０２へ遷移する状態遷移条件は、ＷＬＡＮへのオフロードの測定レポートが報告条件を満たしかつタイマーが作動しているように変更され、状態３０２は、ＵＥがＷＬＡＮへのオフロードの測定レポートの報告を遅延するように変更され、状態３０２から状態３０２へ自動的に遷移する状態遷移条件は、ＷＬＡＮへのオフロードの測定レポートが報告条件を満たしかつタイマーが作動しているように変更され、状態３０４は、ＵＥがタイマーを停止してリセットし、ＷＬＡＮへのオフロードの測定レポートの報告を取り消し、ハンドオーバを実行するように変更される。
【００９４】
ここで、ＷＬＡＮへのオフロードの測定レポートの報告条件は、具体的に、
ＷＬＡＮの信号品質または信号強度がある閾値より高いおよび／またはＷＬＡＮの負荷がある閾値より低い場合、ＷＬＡＮへのオフロードの測定レポートの報告をトリガすること、または、
ＲＡＮの信号品質または信号強度がある閾値より低いおよび／またはＲＡＮの負荷がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、かつＷＬＡＮの信号品質または信号強度がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、ＷＬＡＮの信号品質または信号強度がある閾値より高く、かつＷＬＡＮの負荷がある閾値より低い場合、ＷＬＡＮへのオフロードの測定レポートの報告をトリガすることを含むことができる。
【００９５】
第二の実施形態：
図４に示すように、本発明の第二の実施形態の端末状態遷移図であり、その中の４０１−４０４がそれぞれＵＥの４つの状態であり、矢印の上の条件は、状態遷移条件である。
【００９６】
初期に端末は、開始状態にあり、この場合、端末は、３ＧＰＰアクセスネットワークおよびＷＬＡＮネットワークの状態を監視する。ソース側への３ＧＰＰアクセスネットワーク測定レポートの送信を満たす場合、状態４０１に遷移し、すなわちＵＥは、タイマーを起動または再起動する。
【００９７】
ここで、ＬＴＥシステムにおいて、ＲＲＣ層の測定レポートは、イベントトリガ測定レポート（ｅｖｅｎｔ  ｔｒｉｇｇｅｒｅｄ  ｒｅｐｏｒｔｉｎｇ）、イベントトリガ周期的測定レポート（ｅｖｅｎｔ  ｔｒｉｇｇｅｒｅｄ  ｐｅｒｉｏｄｉｃ  ｒｅｐｏｒｔｉｎｇ）および周期的測定レポート（ｐｅｒｉｏｄｉｃ  ｒｅｐｏｒｔｉｎｇ）の合計の３つのタイプがある。８つの測定レポートのトリガイベントがあり、その中のＡ２、Ａ３、Ａ４、Ａ５、Ｂ１およびＢ２イベントは、ＲＡＮがＵＥを他のセルにハンドオーバすることを引き起こす可能性が大きい。ＵＭＴＳシステムにおいて、ＲＲＣ層の測定レポートは、トリガモードから分けられるとＬＴＥシステムにおけるイベントトリガ測定レポート、イベントトリガ周期性測定レポートおよび周期性測定レポートと類似する３つの測定レポートもある。しかし、ＵＭＴＳシステムにおける測定レポートのトリガイベントの種類が多く、その中、シリーズ１、シリーズ２およびシリーズ３のイベントは、端末がハンドオーバすることを引き起こす可能性が大きい。
【００９８】
ＵＥが前記測定イベントによってトリガされたイベントトリガ測定レポートまたはイベントトリガ周期性測定レポートをソース側へ送信する場合、ＵＥは、タイマーを起動する。前記タイマーの時間は、ＲＡＮ側で構成されるまたはＵＥの内部で確定されるまたはＯ＆Ｍバックグラウンドによって構成される。
【００９９】
ネットワーク側は、通常、ＵＥに複数の測定レポートのトリガイベントを配置し、同一のトリガイベントに複数の測定レポートが構成される可能性もある。そして、イベントトリガ周期的測定レポートも複数回の測定レポートの報告をトリガし、ＵＥがすでにタイマーを起動し、かつタイマーが作動している時に、前記測定レポートイベントによってトリガされたイベントトリガ測定レポートまたはイベントトリガ周期的測定レポートを再度トリガした場合、ＵＥは、タイマーを再起動し、状態４０１が自動的に遷移する。
【０１００】
状態４０１にあり、ＵＥがＷＬＡＮ相互運用の決定基準に基づいてＷＬＡＮへのオフロードの条件を満たすことを判定しかつタイマーが作動している場合、状態４０２に遷移し、ＵＥは、ＷＬＡＮへのオフロードを取り消す。すなわちＵＥは、従来の接続に従ってデータ伝送を行う。その中、前記ＷＬＡＮ相互運用の決定基準は、ＡＮＤＳＦ、Ｏ＆Ｍバックグラウンド、ＲＡＮによってＵＥに構成されることができる。ＵＥは、すでにＷＬＡＮへのオフロードを取り消した場合、ＷＬＡＮ相互運用の決定基準に基づいてＷＬＡＮへのオフロードの条件を再度満たすことを判定しかつタイマーが作動している場合、状態４０２が自動的に遷移する。
【０１０１】
ここで、前記ＷＬＡＮ相互運用の決定基準は、ＡＮＤＳＦ、Ｏ＆Ｍバックグラウンド、ＲＡＮによってＵＥに構成されることができる。
【０１０２】
前記ＷＬＡＮ相互運用の決定基準は、
ＷＬＡＮ信号がＷＬＡＮの信号閾値より高いおよび／またはＷＬＡＮの負荷がＷＬＡＮの負荷閾値より低い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高い場合、ＷＬＡＮのサービスまたはベアラをＲＡＮにオフロードすることができること、または、
ＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができること、または、
ＷＬＡＮ信号がＷＬＡＮの信号閾値より高いおよび／またはＷＬＡＮの負荷がＷＬＡＮの負荷閾値より低く、かつＲＡＮの信号がＲＡＮの信号閾値より低いおよび／またはＲＡＮの負荷がＲＡＮの負荷閾値より高い場合、ＲＡＮのサービスまたはベアラをＷＬＡＮにオフロードすることができ、ＷＬＡＮ信号がＷＬＡＮの信号閾値より低いおよび／またはＷＬＡＮの負荷がＷＬＡＮの負荷閾値より高く、かつＲＡＮの信号がＲＡＮの信号閾値より高いおよび／またはＲＡＮの負荷がＲＡＮの負荷閾値より低い場合、ＷＬＡＮのサービスまたはベアラをＲＡＮにオフロードすることができることを含むことができる。
【０１０３】
タイマーが作動しかつＵＥがハンドオーバコマンドを受信した場合、ＵＥは、状態４０１から状態４０３に遷移し、タイマーを停止してリセットし、ハンドオーバを実行し、その後自動的に開始状態に遷移する。
【０１０４】
ＵＥが状態４０１または４０２にあり、タイマーがタイムアウトする場合、開始状態に遷移する。
【０１０５】
ＵＥが開始状態にある時に、ＷＬＡＮ相互運用の決定基準に基づいてＷＬＡＮへのオフロードの条件を満たすことを判定した場合、ＵＥは、状態４０４に遷移し、ＷＬＡＮへのオフロードを行い、オフロード対応する操作を実行した後、自動的に開始状態に遷移する。
【０１０６】
ここで、本実施形態の端末状態遷移図は、いくつかの状態遷移条件と状態を変更すると、ＵＥが前記ＷＬＡＮへのオフロードの測定レポートの報告を取り消す操作に適用することができると注意すべきである。開始状態から状態４０４へ遷移する状態遷移条件は、ＷＬＡＮへのオフロードの測定レポートが報告条件を満たすように変更され、状態４０４は、ＵＥがＷＬＡＮへのオフロードの測定レポートの報告を実行するように変更され、状態４０１から状態４０２へ遷移する状態遷移条件は、ＷＬＡＮへのオフロードの測定レポートが報告条件を満たしかつタイマーが作動しているように変更され、状態４０２は、ＵＥがＷＬＡＮへのオフロードの測定レポートの報告を取り消すように変更され、状態４０２から状態４０２へ自動的に遷移する状態遷移条件は、ＷＬＡＮへのオフロードの測定レポートが報告条件を満たしかつタイマーが作動しているように変更され、状態４０３は、ＵＥがタイマーを停止してリセットし、ハンドオーバを実行するように変更される。
【０１０７】
ここで、ＷＬＡＮへのオフロードの測定レポートの報告条件は、具体的に、
ＷＬＡＮの信号品質または信号強度がある閾値より高いおよび／またはＷＬＡＮの負荷がある閾値より低い場合、ＷＬＡＮへのオフロードの測定レポートの報告をトリガすること、または、
ＲＡＮの信号品質または信号強度がある閾値より低いおよび／またはＲＡＮの負荷がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、かつＷＬＡＮの信号品質または信号強度がある閾値より高い場合、ＷＬＡＮへのオフロードの測定レポートの報告をトリガすること、または、
ＲＡＮの信号品質または信号強度がある閾値より低いおよび／またはＲＡＮの負荷がある閾値より高く、ＷＬＡＮの信号品質または信号強度がある閾値より高く、かつＷＬＡＮの負荷がある閾値より低い場合、ＷＬＡＮへのオフロードの測定レポートの報告をトリガすることを含むことができる。
【０１０８】
第三の実施形態：
図５は本発明の第三の実施形態のプロセスを示す図である。以下に当該図を参照して説明し、当該プロセスが以下のステップを含む。
【０１０９】
ステップ５０１において、ＵＥは、ソース側へ３ＧＰＰアクセスネットワーク測定レポートを送信する。
【０１１０】
従来技術において、ＲＡＮ側は、ＵＥにいくつかの測定を構成し、その測定が周波数内測定であってよく、周波数間測定であってよく、Ｉｎｔｅｒ−ＲＡＴ測定であってもよく、現在の無線環境状況を監視し、隣セルがサービスセルよりＵＥにサービスを提供することに適することを監視した場合、ソース側は、ＵＥにハンドオーバを配置する。測定レポートは、ＲＡＮ測定が、ＵＥがハンドオーバする重要な根拠であるかどうかである。
【０１１１】
本ステップにおいて、前記測定レポートは、イベントによってトリガされた測定レポートであってよく、周期的にトリガされた測定レポートであってもよく、かつ３ＧＰＰシステムにおける従来のネットワークによってサポートされる測定レポートである。ＲＡＮ側がＥＵＴＲＡＮである場合、ソース側および／またはターゲット側は、発展型基地局ｅＮＢであり、ＲＡＮ側がＵＴＲＡＮである場合、ソース側および／またはターゲット側は、ＲＮＣである。
【０１１２】
ステップ５０２において、ソース側は、ターゲット側へハンドオーバ要求または再配置要求を送信する。
【０１１３】
ソース側は、ＵＥから送信された測定レポートを受信して、ＵＥがこの時にハンドオーバを実行するべきであることを考える場合、ＵＥのために適切なターゲットセルを検索し、ターゲット側へハンドオーバ要求メッセージ（Ｈａｎｄｏｖｅｒ  Ｒｅｑｕｅｓｔ）または再配置要求メッセージ（Ｒｅｌｏｃａｔｉｏｎ  Ｒｅｑｕｅｓｔ）を送信する。
【０１１４】
ステップ５０３において、ＵＥは、ソース側へＷＬＡＮへのオフロードの測定レポートを送信する。
【０１１５】
ステップ５０４において、ソース側は、当該ＷＬＡＮへのオフロードの測定レポートを受信する。
【０１１６】
ＷＬＡＮへのオフロードの測定レポートは、イベントによってトリガされる測定レポートであり、例えば現在の１つ以上のＷＬＡＮの信号強度および／または品質がある閾値より高いおよび／または現在の１つ以上のＷＬＡＮの負荷がある閾値より低く、および／または現在のサービスセルの強度および／または品質がある閾値より低いおよび／または現在のサービスセルの負荷がある閾値より高い。
【０１１７】
ステップ５０５において、ソース側は、ＷＬＡＮへのオフロードを行うかどうかを判定する。
【０１１８】
ソース側から送信されたハンドオーバ要求または再配置要求に対する返信を受信しない前に前記ＷＬＡＮへのオフロードの測定レポートを受信した場合、ソース側は、ＷＬＡＮへのオフロードを遅延し、ターゲット側からの返信を受信するまで待ち、適切なハンドオーバセルを検索した場合、ＷＬＡＮへのオフロードを取り消し、適切なハンドオーバセルを検索しない場合、ＷＬＡＮへのオフロードを行う。
【０１１９】
ソース側から送信されたハンドオーバ要求または再配置要求に対するターゲット側の返信を受信しかつ適切なサービスセルを検索した場合、ＷＬＡＮへのオフロードを取り消す。
【０１２０】
ソース側からの送信されたハンドオーバ要求または再配置要求に対するターゲット側の返信を受信したが、適切なサービスセルを検索しない場合、ＷＬＡＮへのオフロードを実行する。
【０１２１】
ソース側は、ＷＬＡＮへのオフロードを行うことを決定する場合、ＵＥへオフロード命令を送信し、ＷＬＡＮへのオフロードを行うことができることまたはどのベアラがＷＬＡＮ接続に移転される必要があるかをＵＥに通知し、および／またはソース側は、どのベアラがＷＬＡＮ接続に移転される必要があるかをコアネットワークに通知し、対応するベアラを変更または削除する。
【０１２２】
本発明の実施形態における集積されたモジュールは、ソフトウェア機能モジュールの形態で実現されかつ独立する製品として販売または使用される場合、１つのコンピュータ可読記憶媒体に記憶されてもよい。このような理解に基づいて、本発明の実施形態の技術的解決手段は、本質的にソフトウェア製品の形態で体現されることができ、または従来技術に貢献する部分がソフトウェア製品の形態で体現されることができ、当該コンピュータソフトウェア製品が一つの記憶媒体に記憶され、一つのコンピュータ装置（パーソナルコンピュータ、サーバ、またはネットワーク装置などであってよい）に本発明の各実施形態に記載される方法の全部または一部を実行させるための若干の命令を含む。前記記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどの様々な、プログラムコードを記憶できる媒体を含む。このようにして、本発明の実施形態は、いかなる特定のハードウェアとソフトウェアの組み合わせにも制限されない。
【０１２３】
それに対応し、本発明の実施形態によるコンピュータ記憶媒体は、本発明の実施形態の端末のセルハンドオーバ過程にＷＬＡＮと相互運用の決定を行う方法を実行するためのコンピュータプログラムを記憶している。
【０１２４】
上記は、本発明の最適的な実施例に過ぎず、本発明の保護範囲を制限することに用いられるものではない。
【産業上の利用可能性】
【０１２５】
本発明の実施形態によれば、ユーザ装置（ＵＥ）がハンドオーバ条件を満たすのでアクセスネットワーク測定レポートの報告をトリガし、前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消し、前記ＷＬＡＮへのオフロードの測定レポートが報告条件を満たす場合、前記ＷＬＡＮへのオフロードの測定レポートの報告を遅延または取り消す。本発明の実施形態により、ＵＥがネットワーク側によって構成されたワイヤレスローカルエリアネットワーク（ＷＬＡＮ）相互運用の決定基準に基づいてＷＬＡＮへのオフロードを行うかどうかを判定して、ＷＬＡＮへのオフロードを遅延または取り消すことができるので、端末のセルハンドオーバ過程に３ＧＰＰアクセスネットワークとＷＬＡＮネットワークの間にオフロードによって引き起こす可能性があるリソースおよびエネルギーの浪費を少なくとも解決する。
【図１】
2016529813.tif 000003
【図２】
2016529813.tif 000004
【図３】
2016529813.tif 000005
【図４】
2016529813.tif 000006
【図５】
2016529813.tif 000007
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
端末のセルハンドオーバ過程にワイヤレスローカルエリアネットワークと相互運用の決定を行う方法であって、
ユーザ装置（ＵＥ）がハンドオーバ条件を満たすのでアクセスネットワーク測定レポートの報告をトリガすることと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すことと、
前記ＷＬＡＮへのオフロードの測定レポートが報告条件を満たす場合、前記ＷＬＡＮへのオフロードの測定レポートの報告を遅延または取り消すこととを含む、前記方法。
【請求項２】
前記ＷＬＡＮ相互運用の決定基準は、具体的にアクセスネットワーク発見サポート機能（ＡＮＤＳＦ）、運用および保守（Ｏ＆Ｍ）バックグラウンド、無線アクセスネットワーク（ＲＡＮ）によって前記ＵＥに構成されることを特徴とする
請求項１に記載の方法。
【請求項３】
前記方法は、前記ＵＥがハンドオーバ条件を満たすのでアクセスネットワーク測定レポートの報告をトリガした後、前記ＵＥがタイマーを起動することをさらに含み、
前記タイマーの時間がＲＡＮ側で構成され、または、前記ＵＥの内部で確定され、または、ＡＮＤＳＦによって構成され、または、Ｏ＆Ｍバックグラウンドによって構成されることを特徴とする
請求項１に記載の方法。
【請求項４】
前記方法は、前記タイマーが作動しかつタイムアウトする前に、前記ＵＥがハンドオーバ条件を満たすので前記アクセスネットワーク測定レポートの報告をトリガした場合、前記タイマーを再起動することをさらに含むことを特徴とする
請求項３に記載の方法。
【請求項５】
前記方法は、前記タイマーが作動しかつタイムアウトする前に、前記ＵＥがハンドオーバコマンドを受信した場合、前記タイマーを停止してリセットすることをさらに含むことを特徴とする
請求項３に記載の方法。
【請求項６】
前記方法は、前記タイマーが作動する時に、前記ＵＥが、前記ＷＬＡＮ相互運用の決定基準に基づいてＷＬＡＮへのオフロードの条件を満たすことを判定した場合、前記タイマーがタイムアウトするまでＷＬＡＮへのオフロードを遅延することをさらに含むことを特徴とする
請求項３に記載の方法。
【請求項７】
前記方法は、前記タイマーが作動する時に、前記ＵＥが、前記ＷＬＡＮ相互運用の決定基準に基づいて前記ＷＬＡＮへのオフロードの条件を満たすことを判定した場合、ＷＬＡＮへのオフロードを取り消すことをさらに含むことを特徴とする
請求項３に記載の方法。
【請求項８】
前記方法は、前記タイマーが作動する時に、前記ＷＬＡＮへのオフロードの測定レポートが前記報告条件を満たす場合、前記ＵＥが、前記タイマーがタイムアウトするまで前記ＷＬＡＮへのオフロードの測定レポートの報告を遅延することをさらに含むことを特徴とする
請求項３に記載の方法。
【請求項９】
前記方法は、前記タイマーが作動する時に、前記ＷＬＡＮへのオフロードの測定レポートが前記報告条件を満たす場合、前記ＵＥが、前記ＷＬＡＮへのオフロードの測定レポートの報告を取り消すことをさらに含むことを特徴とする
請求項３に記載の方法。
【請求項１０】
端末のセルハンドオーバ過程にワイヤレスローカルエリアネットワークと相互運用の決定を行う装置であって、前記装置は端末側に位置し、前記装置は、
ユーザ装置（ＵＥ）がハンドオーバ条件を満たすのでアクセスネットワーク測定レポートの報告をトリガし、または、ＷＬＡＮへのオフロードの測定レポートを報告するように構成される報告ユニットと、
前記ＵＥがネットワーク側によって構成されたワイヤレスローカルエリアネットワーク（ＷＬＡＮ）相互運用の決定基準に基づいてＷＬＡＮへのオフロードの条件を満たすことを判定した場合、ＷＬＡＮへのオフロードを遅延または取り消すように構成されるオフロード処理ユニットと、
前記ＷＬＡＮへのオフロードの測定レポートが報告条件を満たす場合、前記ＷＬＡＮへのオフロードの測定レポートの報告を遅延または取り消すように構成される報告処理ユニットとを含む、前記装置。
【請求項１１】
前記装置は、
前記ＵＥがハンドオーバ条件を満たすのでアクセスネットワーク測定レポートの報告をトリガした後、タイマーを起動するように構成されるタイミング処理ユニットをさらに含み、
前記タイミング処理ユニットは、さらに前記タイマーが作動しかつタイムアウトする前に、前記ＵＥがハンドオーバ条件を満たすので前記アクセスネットワーク測定レポートの報告をトリガーした場合、前記タイマーを再起動するように構成され、または、
前記タイミング処理ユニットは、さらに前記タイマーが作動しかつタイムアウトする前に、前記ＵＥがハンドオーバコマンドを受信した場合、前記タイマーを停止してリセットするように構成されることを特徴とする
請求項１０に記載の装置。
【請求項１２】
前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、前記タイマーがタイムアウトするまでＷＬＡＮへのオフロードを遅延するように構成され、または、
前記オフロード処理ユニットは、さらに前記タイマーが作動する時に、前記ＵＥが前記ＷＬＡＮ相互運用の決定基準に基づいてＷＬＡＮへのオフロードの条件を満たすことを判定した場合、ＷＬＡＮへのオフロードを取り消すように構成されることを特徴とする
請求項１１に記載の装置。
【請求項１３】
前記報告処理ユニットは、さらに前記タイマーが作動する時に、前記ＷＬＡＮへのオフロードの測定レポートが前記報告条件を満たす場合、前記タイマーがタイムアウトするまで前記ＷＬＡＮへのオフロードの測定レポートの報告を遅延するように構成され、または、
前記報告処理ユニットは、さらに前記タイマーが作動する時に、前記ＷＬＡＮへのオフロードの測定レポートが前記報告条件を満たす場合、前記ＷＬＡＮへのオフロードの測定レポートの報告を取り消すように構成されることを特徴とする
請求項１１に記載の装置。
【請求項１４】
端末のセルハンドオーバ過程にワイヤレスローカルエリアネットワークと相互運用の決定を行う方法であって、
ソースセルがユーザ装置（ＵＥ）から報告されたアクセスネットワーク測定レポートを受信して、ハンドオーバ要求メッセージまたは再配置メッセージを送信することと、
ソースセルがＵＥから報告されたＷＬＡＮへのオフロードの測定レポートを受信して、ＷＬＡＮへのオフロードを遅延または取り消すこととを含む、前記方法。
【請求項１５】
前記ソースセルがＵＥから報告されたＷＬＡＮへのオフロードの測定レポートを受信して、ＷＬＡＮへのオフロードを遅延または取り消すことは、具体的に、
ソースセルがＵＥから送信されたＷＬＡＮへのオフロードの測定レポートを受信した場合、利用可能なターゲットセルがないことを確認するまでＷＬＡＮへのオフロードを遅延することを含み、または、
ソースセルがＵＥから送信されたＷＬＡＮへのオフロードの測定レポートを受信した場合、利用可能なターゲットセルがあることを確認するまでＷＬＡＮへのオフロードを遅延し、ＷＬＡＮへのオフロードを取り消すことを含むことを特徴とする
請求項１４に記載の方法。
【請求項１６】
端末のセルハンドオーバ過程にワイヤレスローカルエリアネットワークと相互運用の決定を行う装置であって、前記装置はネットワーク側に位置し、前記装置は、
ユーザ装置（ＵＥ）から報告されたアクセスネットワーク測定レポート、ＵＥから報告されたＷＬＡＮへのオフロードの測定レポートを受信するように構成される受信ユニットと、
前記アクセスネットワーク測定レポートを受信して、ハンドオーバ要求メッセージまたは再配置メッセージを送信するように構成される送信ユニットと、
前記ＷＬＡＮへのオフロードの測定レポートを受信して、ＷＬＡＮへのオフロードを遅延または取り消すように構成されるオフロード処理ユニットとを含み、
前記オフロード処理ユニットは、さらに前記ＷＬＡＮへのオフロードの測定レポートを受信して、利用可能なターゲットセルがないことを確認するまでＷＬＡＮへのオフロードを遅延するように構成され、または、
前記オフロード処理ユニットは、さらに前記ＷＬＡＮへのオフロードの測定レポートを受信して、利用可能なターゲットセルがあることを確認するまでＷＬＡＮへのオフロードを遅延し、ＷＬＡＮへのオフロードを取り消すことを特徴とする、前記装置。
【国際調査報告】
2016529813.tif 000008
2016529813.tif 000009
2016529813.tif 000010
2016529813.tif 000011